(57)【要約】【課題】画像読み取り部と画像印字部を有する画像形成装置において、画像読み取り部に供給される電源電圧の変動の影響を避け、画質が良好な読み取り画像を売ることを可能にする。【解決手段】ラインイメージセンサを用いた画像読み取り部と画像印字部を含む画像形成装置において、画像読み取り動作を行う場合に、画像形成装置の制御手段において画像印字部の動作状態を確認する手段、印字部が動作している場合に適用するための読み取り画像データを補正するデータを記憶する手段、印字部が動作していない場合に適用するための読み取り画像データを補正するデータを記憶する手段、画像印字部の動作状態の情報により画像データを補正するデータを選択する手段、選択された画像データを補正するデータを適用して読み取り画像データを補正することが可能であることを特徴とする画像形成装置。【選択図】　　　　　図１
2004015477.tif 000002
【特許請求の範囲】
【請求項１】
ラインイメージセンサを用いた画像読み取り部を含む画像形成装置において、画像読み取り部と画像読み取り部以外の画像形成装置を構成するユニットへ電力を供給する手段、画像読み取り部以外の画像形成装置を構成するユニットの動作状態を確認する手段、前述の動作状態確認手段による情報により画像読み取り部以外の画像形成装置を構成するユニットが動作している場合に適用するための読み取り画像データを補正するデータを記憶する手段、
画像読み取り部以外の画像形成装置を構成するユニットが動作していない場合に適用するための読み取り画像データを補正するデータを記憶する手段、
前述の動作状態確認手段による情報により画像データを補正するデータを選択する手段、選択された画像データを補正するデータを適用して読み取り画像データを補正することが可能であることを特徴とする画像形成装置。
【請求項２】
前記請求項１において、画像形成装置における画像読み取り部以外のユニットとは、画像印字部であることを特徴とする請求項１記載の画像形成装置。
【請求項３】
前記請求項１において、画像印字部の動作状態の情報により読み取り画像データを補正するデータとは白補正のデータであることを特徴とする請求項１記載の画像形成装置。
【請求項４】
前記請求項２において、画像印字部の動作状態の情報により読み取り画像データを補正するデータとは白補正のデータであることを特徴とする請求項２記載の画像形成装置。
【請求項５】
前記請求項１において、画像印字部の動作状態の情報により読み取り画像データを補正するデータとはγ補正のデータであることを特徴とする請求項１記載の画像形成装置。
【請求項６】
前記請求項２において、画像印字部の動作状態の情報により読み取り画像データを補正するデータとはγ補正のデータであることを特徴とする請求項２記載の画像形成装置。
【発明の詳細な説明】
【０００１】
【発明の属する技術分野】
本発明は画像読み取り部を有する画像形成装置に関するものであり、マルチファンクションプリンタや複写機に関するものである。
【０００２】
【従来の技術】
画像読み取り部と画像読み取り部以外の画像形成装置を構成するユニット、例えば画像印字部を有する画像形成装置において、画像読み取り部のみを動作させる場合と画像読み取り部と画像読み取り部以外の画像形成装置を構成するユニットを同時に動作させる場合とを区別せずに画像読み取り部で得られる画像データを補正していた。また、画像読み取り部に供給される電源電圧の変動の影響を避けるための方法として電源ユニットからの供給電圧をより安定化させる案が考えられる。
【０００３】
【発明が解決しようとする課題】
画像読み取り部と画像読み取り部以外の画像形成装置を構成するユニット、例えば画像印字部を有する画像形成装置において、画像読み取り部のみを動作させる場合と画像読み取り部と画像読み取り部以外の画像形成装置を構成するユニットを同時に動作させる場合とを区別せずに画像読み取り部で得られる画像データを補正していた為に画像読み取り部に供給される電源電圧の変動の影響を避けられず読み取った画像データから得られる画像について画質の低下の原因となっていた。
【０００４】
また、画像読み取り部に供給される電源電圧の変動の影響を避けるための方法として電源ユニットからの供給電圧をより安定化させようとする場合には電源ユニットの部品点数の増加、複雑化、巨大化、コストの増大や電源効率の悪化を招いてしまい省エネの観点からも逆行した構成になってしまっていた。
【０００５】
上記の事情に鑑みて、本発明ではラインイメージセンサを用いた画像読み取り部を含む画像形成装置において、画像読み取り部と画像読み取り部以外の画像形成装置を構成するユニットへ電力を供給する手段を複雑化することなく、画像読み取り部のみを動作させる場合と画像読み取り部と画像読み取り部以外の画像形成装置を構成するユニットを同時に動作させる場合とを区別して画像読み取り部で得られる画像データを補正することにより、常に画質が良好な読み取り画像が得られる画像形成装置を提供することを目的としている。
【０００６】
【課題を解決するための手段】
上記の目的を達成するために本発明は、請求項１ではラインイメージセンサを用いた画像読み取り部を含む画像形成装置において、画像読み取り部以外の画像形成装置を構成するユニットの動作状態を確認する手段を設ける。
【０００７】
画像読み取り部において画像読み取り動作を行いラインイメージセンサで読み取った画像データを補正する為に、画像読み取り部以外の画像形成装置を構成するユニットが動作している場合と画像読み取り部以外の画像形成装置を構成するユニットが動作していない場合との各々の補正テーブルデータを記憶する手段を設けておく。
【０００８】
画像形成装置の制御手段において画像読み取り部以外の画像形成装置を構成するユニットの動作状態を確認する手段からの動作状態の情報に基づいて画像データを補正するテーブルデータを選択する手段を設ける。画像読み取り動作を行う場合に、画像形成装置の制御手段において画像読み取り部以外の画像形成装置を構成するユニットの動作状態を確認し、画像読み取り部以外の画像形成装置を構成するユニットが動作していない場合は画像読み取り部以外の画像形成装置を構成するユニットが動作していない状態のために用意されている補正テーブルデータを選択し、ラインイメージセンサで読み取った画像データを補正する。
【０００９】
一方、画像読み取り部以外の画像形成装置を構成するユニットが動作している場合は画像読み取り部以外の画像形成装置を構成するユニットが動作している状態のために用意されている補正テーブルデータを選択し、ラインイメージセンサで読み取った画像データを補正する。
【００１０】
画像読み取り部以外の画像形成装置を構成するユニットの動作状態を区別して画像読み取り部で得られる画像データを補正することにより、常に画質が良好な読み取り画像が得られる。
【００１１】
請求項２ではラインイメージセンサを用いた画像読み取り部と画像印字部を含む画像形成装置において、画像印字部の動作状態を確認する手段を設ける。画像印字部の動作状態を区別して画像読み取り部で得られる画像データを補正することにより、常に画質が良好な読み取り画像が得られる。
【００１２】
請求項３ではラインイメージセンサを用いた画像読み取り部を含む画像形成装置において、画像読み取り部以外の画像形成装置を構成するユニットの動作状態を確認する手段を設ける。その動作状態を区別して画像読み取り部で得られる画像データを補正することにより、常に画質が良好な読み取り画像が得られる。
【００１３】
請求項４ではラインイメージセンサを用いた画像読み取り部と画像印字部を含む画像形成装置において、画像印字部の動作状態を確認する手段を設ける。白補正について画像印字部の動作状態を区別して画像読み取り部で得られる画像データを補正することにより、常に画質が良好な読み取り画像が得られる。
【００１４】
請求項５ではラインイメージセンサを用いた画像読み取り部を含む画像形成装置において、画像読み取り部以外の画像形成装置を構成するユニットの動作状態を確認する手段を設ける。γ補正について前述のユニットの動作状態を区別して画像読み取り部で得られる画像データを補正することにより、常に画質が良好な読み取り画像が得られる。
【００１５】
請求項６ではラインイメージセンサを用いた画像読み取り部と画像印字部を含む画像形成装置において、画像印字部の動作状態を確認する手段を設ける。γ補正について画像印字部の動作状態を区別して画像読み取り部で得られる画像データを補正することにより、常に画質が良好な読み取り画像が得られる。
【００１６】
【発明の実施の形態】
図１は、画像形成装置の画像印字部例の概略構成図である。図１では転写式電子写真プロセスを利用しているプリンタの例を表す。同図において、１０１は回転ドラム型の電子写真感光体であり、同図において時計方向に所定のプロセススピードにて回転駆動される。１０２は感光体帯電手段であり、所定の帯電バイアスが印可されていて、この１０２により回転感光体１０１の面が所定の電位に帯電処理される。
【００１７】
１０３は画像情報露光手段から発せられる露光を表す。１０３により、回転感光体１０１に目的の画像情報に対応した静電潜像が形成される。１０４は現像装置であり、１０４により１０１にトナーが付与されることにより、形成されている前述の潜像が顕画化される。１０５は、１０１に対向して配置された転写ローラである。１０６は記録用紙であり、１０１と１０５のあいだを図において左向きに所定のタイミングで搬送され１０４の面に形成されたトナー画像が転写される。
【００１８】
１０７はフィルム加熱方式の加熱定着装置である。１０７において１０８は電力を供給されることにより発熱する発熱体であり、１０９は前述の発熱体の熱を記録用紙に伝導させる定着フィルムであり、１１０は１０８の位置に対向させて１０９に圧接させられる加圧部材である。トナー画像が現像された後の記録用紙１０６は図の左向きに搬送されて、加熱定着装置１０７に導入される。１０６は、１０９と１１０によって形成される圧接ニップ部を通過し１０８からの発熱による熱によりトナー画像は加熱定着処理されプリント紙として出力される。
【００１９】
図２は本発明の特徴を最も良く表す図面で、シートフィードタイプの画像読み取り部と画像印字部とを含む画像形成装置のユニット構成図である。同図において、２０１は商用交流電源を表す。２０２は電源ユニットであり、２０１の入力をうけて、画像読み取り部と画像印字部へ電力を出力する。２０３は画像読み取り部と画像印字部を含めて画像形成装置を制御する制御回路である。２０４は、２０３に制御されて発熱体への電力供給をスイッチングするスイッチング素子である。
【００２０】
２０５は、画像印字部ユニットであり、２０２より電力を供給され２０３により制御される。図２において、２０６はラインイメージセンサを用いた画像読み取りユニットであり同ユニットにおいては光を照射する原稿照明手段と原稿からの反射光について光電変換を行う受光手段を有する。２０７は原稿、２０８は原稿搬送の駆動源であるところのモータ、２０９は２０８を駆動するためのモータ駆動回路、２１０ａ及び２１０ｂは原稿搬送ローラ、２１１は２０８から出力されるトルクを２１０ａに伝達するためのトルク伝達ユニット、２１２は原稿の先端及び後端を検出するためのセンサである。
【００２１】
前述の制御回路２０３においては２０９を制御し、２０６と２１２を制御し、２０６から受ける画像データについて画像処理を行う。
【００２２】
画像読み取り動作を行う場合には、制御回路２０３がモータ駆動回路２０９を制御し２０９はモータ２０８を駆動する。２０８の回転トルクはトルク伝達ユニット２１１により原稿搬送ローラ２１０ａに伝えられ、２１０ａが回転することにより２１０ｂが摩擦力により回転する。２１０ａ及び２１０ｂが回転することにより、原稿２０７は搬送され画像読み取りユニット２０６の同図における上方を矢印の向きに移動する。このとき２０６は２０７の画像読み取りを行い、原稿の画像データ信号を制御回路２０３に供する。画像印字部と画像読み取り部へ電源２０２より電力を供給するために、画像印字部の動作が変化して電力負荷が変動するとき画像読み取り部に供給される電圧に変動が生じる。この電圧変動の例を図５に示す。
【００２３】
図５は画像印字部と画像読み取り部へ供給される２４Ｖ電圧ラインについて、電圧−電流の関係をグラフにした図で、横軸は電流であり単位はアンペア（Ａ）、縦軸は電圧であり単位はボルト（Ｖ）である。画像印字部が動作せず画像読み取り部のみが動作している場合、２４Ｖ電圧ラインの状態は同グラフにおける「０．３Ａ、　２５．５５Ｖ」のポイントで示され、画像印字部と画像読み取り部の双方が動作している場合、２４Ｖ電圧ラインの状態は同グラフにおける「２．２Ａ、　２４．４５Ｖ」のポイントで示される。
【００２４】
図２において、画像読み取りユニット２０６にある原稿照明手段と原稿からの反射光を受光する手段においては、供給される２４Ｖ電圧ラインの電圧の変動により画像データ信号出力に変化が生じ、読み取り画像の画質低下の原因になる。この画像データ信号出力の変化を補正するために次の構成を設ける。制御回路２０３においては画像印字部の動作状態を確認する。制御回路において画像印字部の動作モード別に適用するための読み取り画像データを補正するテーブルデータを記憶しておく。テーブルデータの概略を図３及び図４に示す。
【００２５】
図３のグラフの横軸は画像印字部の動作モードを示し、同グラフの縦軸は白補正の白レベルを示す。同グラフのＡは印字部全体が動作している場合の白レベルを示す。同グラフのＣは印字部が完全に停止して動作していない場合、同グラフのＢは印字部が部分的に動作している場合を示す。Ａ，Ｂ，Ｃの各モードに対応させて同グラフ縦軸の白補正の白レベルの値としてＷａ，Ｗｂ，Ｗｃを選択して使用し、白補正を行う。
【００２６】
図４はγ補正での入出力特性のテーブルデータを示す。前述のＡ，Ｂ，Ｃの各モードに対応させてγ補正のテーブルデータａ，ｂ，ｃを選択して使用してγ補正を行う。
【００２７】
【発明の効果】
画像読み取り部と画像印字部を有する画像形成装置において、画像読み取り部のみを動作させて画像印字部を動作させない場合と画像読み取り部と画像印字部とを同時に動作させる場合とを区別して画像読み取り部で得られる画像データを補正することにより、画像読み取り部に供給される電源電圧の変動の影響を避けることが可能になり画質が良好な読み取り画像を得ることが可能になる。
【図面の簡単な説明】
【図１】画像形成装置の画像印字部例の概略構成図
【図２】シートフィードタイプの画像読み取り部と画像印字部とを含む画像形成装置のユニット構成図
【図３】白補正について画像印字部の動作モード別に適用するテーブルデータの例を示すグラフ
【図４】γ補正について画像印字部の動作モード別に適用するテーブルデータの例を示すグラフ
【図５】画像印字部と画像読み取り部へ供給される２４Ｖ電圧ラインについて、電圧−電流の関係をグラフにした図
【符号の説明】
１０１‥‥回転ドラム型の電子写真感光体
１０２‥‥感光体帯電手段
１０３‥‥画像情報露光手段から発せられる露光
１０４‥‥現像装置
１０５‥‥１０１に対向して配置された転写ローラ
１０６・・・・記録用紙
１０７・・・・フィルム加熱方式の加熱定着装置
１０８‥‥電力を供給されることにより発熱する発熱体
１０９・・・・前述の発熱体の熱を記録用紙に伝導させる定着フィルム
１１０‥‥１０８の位置に対向させて１０９に圧接させられる加圧部材
２０１‥‥商用交流電源
２０２‥‥電源ユニット
２０３‥‥画像読み取り部と画像印字部を含めて画像形成装置を制御する制御回路
２０４‥‥２０３に制御されて発熱体への電力供給をスイッチングするスイッチング素子
２０５‥‥画像印字部ユニット
２０６‥‥ラインイメージセンサを用いた画像読み取りユニット
２０７・・・・原稿
２０８‥‥原稿搬送の駆動源であるところのモータ
２０９‥‥２０８を駆動するためのモータ駆動回路
２１０ａ、２１０ｂ‥‥原稿搬送ローラ
２１１‥‥２０８から出力されるトルクを２１０ａに伝達するためのトルク伝達ユニット
２１２‥‥原稿の先端及び後端を検出するためのセンサ
【図１】
2004015477.tif 000003
【図２】
2004015477.tif 000004
【図３】
2004015477.tif 000005
【図４】
2004015477.tif 000006
【図５】
2004015477.tif 000007